(57)【要約】【課題】  輝度ムラを抑制して表示品質の優れた表示を実現する。【解決手段】  多数の発光素子を基板上の同一軸線上に実装した複数の発光ユニットと、複数の発光ユニットを列状に並べた線状光源と、線状光源に対して端部を対向状に配置する導光体と、線状光源から照射される光を反射させる反射シートとを備えた照明装置であって、前記複数の発光ユニットの基板間に生じる継目の導光体側に反射カバーを備えた。【選択図】  図５
2013225373.tif 000002
【特許請求の範囲】
【請求項１】
多数の発光素子を基板上に実装した複数の発光ユニットと、
前記複数の発光ユニットを列状に並べた線状光源と、
前記線状光源に対して端部を対向状に配置する導光体と、
前記線状光源から照射される光を反射させる反射シートと、発光ユニットを支持するシャーシとを備えた照明装置であって、
前記複数の発光ユニットの基板間に生じる継目の導光体側に反射カバーを備えたことを特徴とする照明装置。
【請求項２】
前記反射カバーは、前記反射シートと一体に設けられたことを特徴とする請求項１に記載の照明装置。
【請求項３】
前記反射カバーは、前記反射シートの縁部外側に突出して設けられることを特徴とする請求項２に記載の照明装置。
【請求項４】
前記反射カバーは、前記反射シートの縁部内側に切り込みが入れられて設けられることを特徴とする請求項２に記載の照明装置。
【請求項５】
前記反射カバーは、前記発光ユニットの基板の高さと同じであり、前記基板に沿うように曲折する曲折部を有することを特徴とする請求項３または請求項４に記載の照明装置。
【請求項６】
前記反射カバーは、前記発光ユニットの基板の高さより延長され、前記基板の表側と裏側に沿うように折り返された複数の曲折部を有することを特徴とする請求項３または請求項４に記載の照明装置。
【請求項７】
前記反射カバーの前記継目を覆う部分は、略楕円形状または三角形状をなしていることを特徴とする請求項５または請求項６に記載の照明装置。
【請求項８】
前記反射カバーの前記継目を覆う部分は、略四角形状を成していることを特徴とする請求項５または請求項６に記載の照明装置。
【請求項９】
前記反射カバーの前記継目を覆う部分は、略L字形状を成していることを特徴とする請求項５または請求項６に記載の照明装置。
【請求項１０】
前記反射カバーの前記継目を覆う部分は、略凸字形状を成していることを特徴とする請求項５または請求項６に記載の照明装置。
【請求項１１】
前記反射カバーの前記継目を覆う部分は、略凹字形状を成していることを特徴とする請求項５または請求項６に記載の照明装置。
【請求項１２】
前記反射カバーの前記継目を覆う部分は、前記発光ユニットを支持するシャーシの底面側から遠ざかる方向に向けて先細り状を成していることを特徴とする請求項５または請求項６に記載の照明装置。
【請求項１３】
前記反射カバーの前記継目を覆う部分は、その先端部が二股状を成していることを特徴とする請求項５または請求項６に記載の照明装置。
【請求項１４】
前記反射カバーの前記継目を覆う部分は、曲線により構成されていることを特徴とする請求項５または請求項６に記載の照明装置。
【請求項１５】
前記反射カバーは、粘着部材により前記発光ユニットに固定されことを特徴とする請求項１に記載の照明装置。
【請求項１６】
前記反射カバーの一部が、前記発光ユニットと、前記発光ユニットを支持するシャーシとにより挟持され固定されていることを特徴とする請求項６に記載の照明装置。
【請求項１７】
前記反射カバーの一部が、接着部材により前記発光ユニットを支持するシャーシに固定されていることを特徴とする請求項１６に記載の照明装置。
【請求項１８】
前記反射シートの反射率が、前記継目部の反射率よりも高いことを特徴とする請求項１に記載の照明装置。
【請求項１９】
前記発光素子が、ＬＥＤからなることを特徴とする請求項１に記載の照明装置。
【請求項２０】
前記複数の発光ユニットに搭載される前記ＬＥＤの配列間隔が、互いに異なることを特徴とする請求項１に記載の照明装置。
【請求項２１】
前記複数の発光ユニットに搭載される前記ＬＥＤの配設個数が、互いに異なることを特徴とする請求項１に記載の照明装置。
【請求項２２】
前記複数の発光ユニットに搭載される前記ＬＥＤの発光ピークが、互いに異なる発光ピークをもつことを特徴とする請求項１に記載の照明装置。
【請求項２３】
前記複数の発光ユニットに搭載される前記ＬＥＤの構造が、互いに異なることを特徴とする請求項１に記載の照明装置。
【請求項２４】
前記複数の発光ユニットに搭載される前記ＬＥＤの配光特性が、互いに異なることを特徴とする請求項１に記載の照明装置。
【請求項２５】
前記複数の発光ユニットの基板の大きさが、互いに異なることを特徴とする請求項１に記載の照明装置。
【請求項２６】
前記複数の発光ユニットの基板の形状が、互いに異なることを特徴とする請求項１に記載の照明装置。
【請求項２７】
前記ＬＥＤが、黄色の領域に発光ピークを持つ蛍光体を青色発光チップに塗布して白色発光としたものであることを特徴とする請求項１に記載の照明装置。
【請求項２８】
前記ＬＥＤは、緑色と赤色の領域に発光ピークを持つ蛍光体を青色発光チップに塗布して白色発光としたものであることを特徴とする請求項１に記載の照明装置。
【請求項２９】
前記ＬＥＤは、緑色の領域に発光ピークを持つ蛍光体を青色発光チップに塗布し、これに赤色発光チップを組み合わせて白色発光としたものであることを特徴とする請求項１に記載の照明装置。
【請求項３０】
前記ＬＥＤは、青、緑、赤の各色の発光チップを組み合わせて白色発光としたものであることを特徴とする請求項１に記載の照明装置。
【請求項３１】
前記ＬＥＤは、紫外光チップに蛍光体を組み合わせたものであることを特徴とする請求項１に記載の照明装置。
【請求項３２】
前記ＬＥＤは、青色、緑色、及び赤色の領域に発光ピークを持つ蛍光体を紫外光チップに塗布して白色発光としたものであることを特徴とする請求項１に記載の照明装置。
【請求項３３】
前記ＬＥＤの蛍光体封止部が、ドーム構造であることを特徴とする請求項１に記載の照明装置。
【請求項３４】
前記ＬＥＤの蛍光体封止部が、クレータ構造であることを特徴とする請求項１に記載の照明装置。
【請求項３５】
前記ＬＥＤのチップ搭載方法が、フリップチップ構造であることを特徴とする請求項１に記載の照明装置。
【請求項３６】
前記ＬＥＤのチップ搭載方法が、ワイヤボンディング構造であることを特徴とする請求項１に記載の照明装置。
【請求項３７】
請求項１から請求項３６のいずれか１項に記載の照明装置と、前記照明装置からの光を利用して表示を行う表示パネルとを備えることを特徴とする表示装置。 
【請求項３８】
前記表示パネルは、一対の基板間に液晶を封入してなる液晶パネルとされる請求項３７記載の表示装置。
【請求項３９】
請求項３８に記載された表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
透過型又は半透過型の液晶表示装置は、液晶表示パネルと、液晶表示パネルの背面側に配設されるバックライト装置とを備える。
【０００３】
バックライト装置としては、基板上に複数個のＬＥＤ（発光ダイオード）チップが直線状に実装された線状光源を、アクリル樹脂等の透明な板材からなる導光体の端面に沿うように配設されたエッジライト式バックライト装置が知られている。
【０００４】
特許文献１は、エッジライト式のバックライト装置であり、図１１に示すように、複数の発光モジュール９３を並べた発光部９２と、これらの各発光モジュール９３が取り付けられる１枚の配線基板９１とを備える。各発光モジュール９３は、実装基板９４と実装基板の表面に取り付けられるＬＥＤ９５とを備えている。そして、各実装基板９４は、配線基板９１に対して垂直に取り付けられている。
【０００５】
特許文献１によれば、１つの長い発光モジュールによって発光部を構成した場合と比較して、実装基板に生じる反りの影響が出難いため、各実装基板９４に取り付けられたＬＥＤ９５が導光体を向いた状態で固定されることになり、液晶表示装置における光量むらの発生が抑制される、と記載されている。
【先行技術文献】
【特許文献】
【０００６】
【特許文献１】特開２００９−５８７６８号公報
【発明の概要】
【発明が解決しようとする課題】
【０００７】
上記特許文献１に記載されるようなエッジライト式のバックライト装置では、図１２に示す平面図のように、導光体９６の光入射面近傍に、各ＬＥＤ９５からの直接光が入射される照射領域ＬＡと、周囲からの間接光しか入射されない非照射領域ＮＬＡが生じる。非照射領域ＮＬＡには、実装基板９４の表面等で反射される光が入射されて光量が補われるが、特許文献１のように、実装基板９４間に継目９７を有する場合は、継目９７において光の反射率が低下し、導光体９６側に反射される光量が減少する。このため、継目９７に対向する非照射領域ＮＬＡが暗部９９となり、表示領域の縁部に輝度ムラが視認されるという問題があった。
【０００８】
したがって、本発明の目的は、複数の発光モジュールを光源とする照明装置において、輝度ムラを抑制して表示品質を向上させることである。
【課題を解決するための手段】
【０００９】
多数の発光素子を基板上の同一軸線上に実装した複数の発光ユニットと、複数の発光ユニットを列状に並べた線状光源と、線状光源に対して端部を対向状に配置する導光体と、線状光源から照射される光を反射させる反射シートとを備えた照明装置であって、前記複数の発光ユニットの基板間に生じる継目の導光体側に反射カバーを備えたことを特徴としている。
【発明の効果】
【００１０】
本発明によれば、複数の発光モジュールを光源とする照明装置において、輝度ムラを抑制して表示品質を向上させることができる。
【図面の簡単な説明】
【００１１】
【図１】本発明のテレビ受信装置の概略構成を示す分解斜視図である。
【図２】テレビ受信装置が備える液晶表示装置の概略構成を示す分解斜視図である。
【図３】バックライト装置を構成するシャーシ内に導光体及びＬＥＤ基板を収容した状態を示す平面図である。
【図４】図３のＶ−Ｖ線の断面図である。
【図５】反射カバーを設けた反射シートの変形例を示す平面図である。
【図６】反射カバーの形状の変形例を示す平面図である。
【図７】図３のＡ部（ＬＥＤ基板の継目）の拡大平面図である。
【図８】図３のＶ−Ｖ線の断面における変形例である。
【図９】図３のＶ−Ｖ線の断面における変形例である。
【図１０】図３のＶ−Ｖ線の断面における変形例である。
【図１１】複数の発光ユニットを並べて構成した従来の発光装置である。
【図１２】従来の発光装置における輝度ムラを示す平面図である。
【発明を実施するための形態】
【００１２】
本発明の実施例１を図１から図７によって説明する。本実施例では、液晶表示装置１０について例示する。なお、各図面の一部にはＸ軸、Ｙ軸及びＺ軸を示しており、各軸方向が各図面で示した方向となるように描かれている。このうちＹ軸方向は、鉛直方向と一致し、Ｘ軸方向は、水平方向と一致している。また、特に断りがない限りは、上下の記載については鉛直方向を基準とする。また、図２に示す上側を表側とし、同図下側を裏側とする。
【実施例１】
【００１３】
図１は、本発明のテレビ受信装置の概略構成を示す分解斜視図である。図１に示すように、本実施例に係るテレビ受信装置１００は、液晶表示装置１０と、液晶表示装置１０を挟むようにして収容する表裏両キャビネットＣａ、Ｃｂと、電源Ｐと、チューナーＴと、スタンドＳとを備えて構成される。液晶表示装置（表示装置）１０は、全体として横長の方形状をなし、その表示面１１ａが鉛直方向（Ｙ軸方向）に沿うよう縦置き状態で収容されている。
【００１４】
なお、本実施例に言う「液晶パネル１１の表示面１１ａが鉛直方向に沿う」とは、液晶パネル１１の表示面１１ａが鉛直方向に平行となる態様に限定されず、水平方向に沿う方向よりも相対的に鉛直方向に沿う方向に設置されたものを意味し、例えば鉛直方向に対して０°〜４５°、好ましくは０°〜３０°傾いたものを含むことを意味するものである。
【００１５】
図２は、液晶表示装置１０の概略構成を示す分解斜視図である。図２に示すように、液晶表示装置１０は、表示パネルである液晶パネル１１と、照明装置であるバックライト装置１２とを備え、これらが枠状のベゼル１３などにより一体的に保持されている。
【００１６】
液晶パネル１１は、平面に視て横長の方形状をなしており、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ、Ｇ、Ｂ等の各着色部が所定配列で配置されたカラーフィルタや対向電極、さらには配向膜等が設けられている。また、両基板の外側には偏光板が配されている。
【００１７】
バックライト装置１２は、図２に示すように、光出射面側（液晶パネル１１側）に向けて開口する略箱型をなすシャーシ１４の内側に、その長辺側の両端部に複数の発光ユニットであるＬＥＤ基板１８で構成される線状光源と、線状光源の光を導光して液晶パネル１１側へと導く導光体１９と、導光体１９内の光を反射して表側に立ち上げる反射シート２０と、シャーシ１４の開口部を覆うようにして配される光学部材１５群とを備える。
【００１８】
シャーシ１４は、金属製とされ、図２に示すように、液晶パネル１１と同様に横長の方形状をなす底板１４ａと、底板１４ａにおける長辺側の両外端からそれぞれ立ち上がる一対の側板１４ｂとからなる。底板１４ａには、底板１４ａと一体形成された位置決め部２３を備えており、反射シート２０、導光体１９、光学部材１５をＸ軸方向及びＹ軸方向に位置決め可能とされる。側板１４ｂには、線状光源のＬＥＤ基板１８がねじ止め等により取り付けられるとともに、フレーム１６及びベゼル１３がねじ止め可能とされる。
【００１９】
光学部材１５は、液晶パネル１１及びシャーシ１４と同様に平面に視て横長の方形状をなしている。光学部材１５は、導光体１９の光出射側に載せられて液晶パネル１１と導光体１９との間に介在して配される。光学部材１５は、図２に示すように、導光体１９側に配される拡散板１５ａと、液晶パネル１１側に配される光学シート１５ｂとから構成される。光学シート１５ｂは、拡散シート、レンズシート、偏光シートなどがあり、これらの中から選択して使用される。なお、後述する、図４、及び、図８〜図１０では、光学部材１５の図示を簡略化して１枚にまとめて図示する。
【００２０】
フレーム１６は、図２に示すように、導光体１９及び光学部材１５の外周端部に沿って延在する枠状に形成されており、導光体１９及び光学部材１５の外周端部をほぼ全周にわたって表側から押さえることが可能とされる。また、フレーム１６は、液晶パネル１１における外周端部を裏側から受けることができる。このフレーム１６は、合成樹脂製とされるとともに、表面が例えば黒色を呈する形態とされることで、遮光性を有するものとされる。
【００２１】
上記のように、バックライト装置１２は、辺部に設けられた線状光源の間に挟まれた導光体１９を備える、いわゆるエッジライト型とされている。以下では、バックライト装置１２の各構成部品について詳しく説明する。
【００２２】
図３は、バックライト装置１２を液晶パネル１１側から見た平面図である。図３に示すように、線状光源は複数の発光ユニットからなり、シャーシ１４内において導光体１９を挟み込む形で、上下両端部にそれぞれ配されている。例えば、一端には長辺方向に沿って２個のＬＥＤ基板１８が列状に並べられて構成されている。ＬＥＤ基板１８は、エポキシ樹脂などの合成樹脂製またはセラミック製を素材とした長手の板状体とされ、その表面に絶縁層を介して配線パターンが形成されている。
【００２３】
各ＬＥＤ基板１８には、その長辺方向の同一軸線上に多数の発光素子が実装されている。例えば、ＬＥＤ基板１８には、５個のＬＥＤ１７が間欠的に並列されている。これらのＬＥＤ１７の配列ピッチは、ＬＥＤ基板１８間を跨ぐ配列ピッチも含め、ほぼ等しくなっている。なお、各ＬＥＤ１７は、ＬＥＤ基板１８上にＬＥＤチップが樹脂材により封止されたものであり、ＬＥＤ基板１８に対する実装面とは反対側の面が発光面となる、いわゆるトップ型とされる。
【００２４】
多数のＬＥＤ１７を実装した各ＬＥＤ基板１８は、シャーシ１４内において、ＬＥＤ１７の発光面を導光体１９の側面（光入射面）に向けて、側板１４ｂに対してそれぞれネジなどにより取り付けられている。
【００２５】
上記のように、線状光源は、複数のＬＥＤ基板１８に分けられ、個々のＬＥＤ基板１８の長手寸法を短くして、熱膨張に起因する反りの影響を受け難いものとなっている。また、個々のＬＥＤ基板１８に実装するＬＥＤ１７の個数を少なくして、駆動電圧を下げて駆動回路の負担が抑えられている。
【００２６】
導光体１９は、屈折率が空気よりも高く、透光性に優れたアクリルなどの合成樹脂材料からなり、平面に視て横長の方形状をなす板状体である。導光体１９は、シャーシ１４内において液晶パネル１１及び光学部材１５の直下位置に配されており、図３に示すように、シャーシ１４の上下両端部に配された線状光源間に挟み込まれる形で配されている。
【００２７】
そして、導光体１９は、ＬＥＤ１７から発せられた光を端面から導入するとともに、その光を内部で伝播させつつ、裏側に配置される反射シート２０で光学部材１５側へ向くよう立ち上げて出射させる機能を有する。なお、導光体１９は、平面に視た大きさが光学部材１５とほぼ同等とされ、その外周端部が光学部材１５を介して間接的にフレーム１６により表側から押さえられるものとされる。
【００２８】
図４は、図３のＶ−Ｖ線に示す断面図である。図４では、上側を表側とし、同図下側を裏側とする。導光体１９の表側を向いた面は、図４に示すように、内部の光を光学部材１５及び液晶パネル１１に向けて出射させる光出射面１９ａとなっている。また、導光体１９における外周端面のうち、ＬＥＤ１７と所定の間隔を空けて対向する端面は、ＬＥＤ１７から発せられた光が入射される光入射面１９ｂとなっている。
【００２９】
導光体１９における光出射面１９ａとは反対側の面１９ｃには、導光体１９内の光を反射して表側へ立ち上げることが可能な第１反射シート２０ａがその全域を覆う形で設けられている。また、ＬＥＤ１７と光入射面１９ｂとの間に保有される空間の裏側には、ＬＥＤ１７からの光を外部へ漏らさず内部で反射させる第２反射シート２０ｂが設けられている。反射シート２０は、第１反射シート２０ａと第２反射シート２０ｂとにより構成されており、これらは一体として設けても構わない。
【００３０】
反射シート２０は、ポリカーボネート、ポリ塩化ビニル、ポリウレタン、ポリエチレン、ポリプロピレン及びポリエチレンテレフタレートなどの材質からなるが、特に限定されるものではなく、これらのうち白色のＰＥＴを好ましく使用することができる。また、これらの反射面（導光面側表面）を粗面化し、表面粗さを調整することにより、液晶パネルの輝度を向上させることができる。
【００３１】
なお、導光体１９における光出射面１９ａまたはその反対側の面１９ｃの少なくともいずれか一方には、内部の光を反射させる反射部（図示せず）または内部の光を散乱させる散乱部（図示せず）が所定の面内分布を持つようパターニングされており、それにより光出射面１９ａからの出射光が面内において均一な分布となるよう制御されている。
【００３２】
図５は、図３のＡ部（ＬＥＤ基板１８間に生じる継目２７の部分）を拡大した平面図である。図４および図５を用いて、本発明の特徴となる反射カバー２０ｃとその作用効果について説明する。
【００３３】
図４および図５に示すように、ＬＥＤ基板１８間に生じる継目２７の導光体側には、継目２７に向う光を反射させて、導光体１９の光入射面１９ｂに入射させるための反射カバー２０ｃが設けられている。このため、反射シート２０ｃは、継目２７部の反射率よりも高い材質が用いられている。図４では、一例として、反射カバー２０ｃを反射シート２０と一体として形成した構成を示しており、第２反射シート２０ｂの縁部の一部を外側に突出させて反射カバー２０ｃを形成し、反射カバー２０ｃを曲折部２０ｄで折り曲げて継目２７に重ねている。
【００３４】
反射カバー２０ｃの幅（Ｘ軸方向の寸法）は、ＬＥＤ基板１８間の継目２７の間隔よりも広く、ＬＥＤ１７の配列ピッチよりも狭い幅とされている。また、反射カバー２０ｃの高さ（Ｚ軸方向の寸法）は、ＬＥＤ基板１８の高さ（Ｚ軸方向の寸法）と同程度とされる。このように、反射カバー２０ｃの形状は、例えば、略四角形状となっている。
【００３５】
図５に示すように、導光体１９には、従来技術と同様に、各ＬＥＤ１７から直接光が入射される照射領域ＬＡと、周囲からの間接光しか入射されない非照射領域ＮＬＡが生じる。この非照射領域ＮＬＡには、対向するＬＥＤ基板１８の表面等で反射される光２８ｂが入射して光量が補われている。
【００３６】
ここで、従来技術では、ＬＥＤ基板１８間の継目２７で光の反射率が低下し、非照射領域ＮＬＡが暗部となっていたが、本発明では継目２７の導光体側に反射カバー２０ｃが設けられているため、継目２７での光の反射率の低下が防止されている。
【００３７】
このため、反射カバー２０ｃに入射した光２８ａは、光量を落とすことなく反射光２８ｂとなって非照射領域ＮＬＡに入射されるため、継目２７と対向する非照射領域ＮＬＡでも間接光の光量が確保される。したがって、ＬＥＤ基板１８と対向する非照射領域ＮＬＡと、継目２７と対向する非照射領域ＮＬＡとの間接光の光量差が改善され、局所的に暗部となって輝度ムラが生じる事態を回避することができる。
【００３８】
上記実施例では、反射カバー２０ｃを反射シート２０（第１反射シート２０ａ、第２反射シート２０ｂ）と一体的に形成しているが、一体形成ではなく、反射カバー２０ｃを別部材として設ける構成も本発明に含まれる。反射カバー２０ｃを別部材とする場合は、反射カバー２０ｃは、継目２７を全体的に覆うように配置した後、ＬＥＤ基板１８と重なる部分で接着剤などの粘着材により固定することができる。また、別部材とする反射カバー２０ｃの材質は、反射シート２０と同じ材質でもよいが、ＬＥＤ基板１８と同じ材質を使用することもできる。反射カバー２０ｃをＬＥＤ基板１８と同じ材質とすれば光の反射率も同じとなるため、ＬＥＤ基板１８と対向する非照射領域ＮＬＡと、継目２７と対向する非照射領域ＮＬＡの、それぞれに入射される間接光の光量を同一とすることができ、輝度ムラをより効果的に抑制することができる。
【００３９】
なお、ＬＥＤ１７と光入射面１９ｂとの間に保有される空間の表側には、第２反射シート２０ｂとの間で同空間を挟み込む形で第３反射シート２１が配されている。第３反射シート２１は、フレーム１６の長辺部分におけるほぼ全長にわたって延在する大きさを有している。両反射シート２０ｂ、２１は、上記空間に加えて導光体１９におけるＬＥＤ１７側の端部及びＬＥＤ１７をも挟み込む形で配されている。これにより、ＬＥＤ１７からの光を両反射シート２０ｂ、２１間で繰り返し反射することで、殆ど外部に漏れ出すことなく、光入射面１９ｂに対して効率的に入射させることができる。
【００４０】
上記のようにして製造された液晶表示装置１０の電源をＯＮすると、図示しない制御回路により液晶パネル１１の駆動が制御されるとともに、図示しない電力供給基板からの駆動電力がＬＥＤ基板１８の各ＬＥＤ１７に供給されることでその駆動が制御される。各ＬＥＤ１７からの光は、導光体１９により導光されることで、光学部材１５を介して液晶パネル１１に照射され、もって液晶パネル１１に所定の画像が表示される。
【００４１】
本発明のバックライト装置１２は、輝度ムラのない光を液晶パネル１１に照射できるため、液晶表示装置１０において表示品位の優れた表示を実現することができる。また、このような液晶表示装置１０は、種々の用途、例えばテレビやパソコンのディスプレイ等に適用でき、特に大型画面用として好適である。
【実施例２】
【００４２】
実施例２では、反射カバー２０ｃを反射シート２０と一体に設けた際の変形例について説明する。なお、以下の実施例２において、上記実施例と同様の部材には、上記実施例１と同符号を付して図示及び説明を省略する。
【００４３】
図６は、反射カバー２０ｃを反射シート２０と一体形成した平面図である。反射シート２０は、シャーシ１４と位置決めする貫通孔２６を備えるとともに、ＬＥＤ基板１８間の継目２７を覆う反射カバー２０ｃが一体形成されている。複数のＬＥＤ基板１８は、それぞれの大きさや形状が互いに異なる場合があり、継目２７の位置は線状光源の中央部だけとは限らないが、反射カバー２０ｃは、反射シート２０の縁部に継目２７の位置に合わせて配置される。反射カバー２０ｃの幅（Ｘ軸方向の寸法）は、ＬＥＤ基板１８間の継目２７の間隔よりも広く、ＬＥＤ１７の配列ピッチよりも狭い幅寸法とされる。反射カバー２０ｃの高さ（Ｙ軸方向の寸法）は、ＬＥＤ基板１８の高さ（Ｚ軸方向の寸法）と同程度とされる。
【００４４】
図６（ａ）〜（ｂ）は、反射カバー２０ｃを反射シート２０の縁部から外側に突出させて設けたものである。突出タイプの反射カバー２０ｃでは、従来の反射シート２０の縁部に必要とする個所だけを突出させて設けられるので、反射シート２０の材料費をそれほど増やさずに反射カバー２０ｃを一体化することができる。
【００４５】
図６（ｃ）〜（ｄ）は、反射カバー２０ｃを反射シート２０の縁部の内側に切り込みを入れて設けたものである。切り込みタイプの反射カバー２０ｃでは、反射シート２０全体が大きくなるものの、突出部がなくなるため、取り扱いの不注意により反射カバー２０ｃ部を引っ掛けて欠損させるような心配がなく、作業性に優れたものとすることができる。
【００４６】
図７は、反射カバー２０ｃを拡大した平面図である。反射カバー２０ｃには、突出タイプ、切り込みタイプのどちらの場合も、反射カバー２０ｃを直立させて継目２７に沿わせるため、反射シート２０との境界に曲折部２０ｄが設けられている。曲折部２０ｄには、反射カバー２０ｃを正確な位置で折り曲げて継目２７と密着させるように、ミシン目やハーフカットした溝を設けてもよい。
【００４７】
突出タイプの反射カバー２０ｃでは、図４に示すように、曲折部２０ｄの位置で上方に折り曲げて直立させることにより、反射カバー２０ｃをＬＥＤ基板１８の光照射面側に沿わせながら継目２７に重ねることができる。反射カバー２０ｃは反射シート２０と一体として固定され、ＬＥＤ基板１８に粘着材等で固定する必要は特にないので、組み立て作業性に優れたものとすることができる。
【００４８】
図８は、切り込みタイプの反射カバー２０ｃを用いた断面図である。切り込みタイプの反射カバー２０ｃは、図８に示すように、例えば、ＬＥＤ基板１８を冷却する金属ブロックなどの冷却部材２９を備えるような、ＬＥＤ基板１８とシャーシ１４（側板１４ｂ）との間がある程度離れる場合に用いることができる。
【００４９】
切り込みタイプの反射カバー２０ｃは、図８に示すように、曲折部２０ｄで曲折されて直立し、ＬＥＤ基板１８の光照射面側に沿うとともに継目２７と重ねられる。曲折部２０ｄの外側に延長された部分は、ＬＥＤ基板１８及び冷却部材２９の下部に配置される。この場合、反射シート２０の延長部分が冷却部材２９と接触して冷却され、反射シート２０の熱膨張による、しわやたるみなどの変形が防止される。
【００５０】
反射カバー２０ｃの形状は、図７（ａ）〜（ｃ）に示すように、方形状（ａ）、略円弧形状（ｂ）、略三角形状（ｃ）等のように、少なくとも継目２７全体を覆う面積を有すれば形状に拘らない。なお、略円弧形状（ｂ）、略三角形状（ｃ）のようにすれば、反射カバー２０ｃの面積を減らして反射シート２０の材料費を節約することができる。
【００５１】
図７（ｄ）は、反射カバー２０ｃを延長し、複数の曲折部（２０ｅ、２０ｆ）と、延長部２０ｇとを設けたものである。反射カバー２０ｃを複数の曲折部で曲折させてＬＥＤ基板１８の表側（導光体側）と裏側に沿って重ねることにより、反射カバー２０ｃを粘着材等を用いずに安定してＬＥＤ基板１８と固定することができる。
【００５２】
具体的には、図９に示すように、反射カバー２０ｃを曲折部２０ｄで直立させてＬＥＤ基板１８間の継目２７の表側に沿わせたあと、曲折部２０ｅ、２０ｆでＬＥＤ基板１８間の継目２７の裏側に折り返し、ＬＥＤ基板１８とシャーシの側板１４ｂとの間に延長部２０ｇを挟み込みながら、ＬＥＤ基板１８とシャーシの側板１４ｂをねじ止め等により固定したものである。これにより、延長部２０ｇが確実に固定され反射カバー２０ｃの位置ずれ等を防止することができる。なお、さらに強固に固定するためには、反射カバー２０の一部を接着剤などでシャーシの側板１４ｂに固定してもよい。
【００５３】
また、図１０に示すように、反射カバー２０ｃを曲折部２０ｄで直立させてＬＥＤ基板１８間の継目２７の裏側を経由させたあと、曲折部２０ｅ、２０ｆでＬＥＤ基板１８間の継目２７の表側に折り返してもよい。継目２７は延長部２０ｇにより覆われ、ＬＥＤ基板１８とシャーシの側板１４ｂとの間に反射カバー２０ｃを挟み込みながら、ＬＥＤ基板１８とシャーシの側板１４ｂをねじ止め等により固定されることにより、反射カバー２０ｃが確実に固定され位置ずれ等を防止することができる。なお、さらに強固に固定するためには、反射カバー２０の一部を接着剤などでシャーシの側板１４ｂに固定してもよい。
【００５４】
なお、図７（ｄ）で示した反射カバー２０ｃの延長部２０ｇを、図７の略円弧形状（ｂ）や略三角形状（ｃ）の形状にしても構わない。延長部２０ｇを、略円弧形状や略三角形状にすることにより、延長部２０ｇの角部が引っかかることがなく、延長部２０ｇをＬＥＤ基板１８とシャーシの側板１４ｂとの間に挿通する作業を容易に行うことができる。
【００５５】
上記した実施例１では、反射カバーの継目を覆う部分が略四角形状のものを示したたが、発光ユニットを支持するシャーシの底面側から遠ざかる方向に向けて先細り状となるもの（図７ｅ）、略L字形状（図７ｆ）、略凹字形状（図７ｇ）、略凸字形状（図７ｈ）、先端部が二股状（図７ｉ）としたものも本発明に含まれる。
【００５６】
上記の図７（ａ）〜（ｉ）で示した反射カバーの前記継目を覆う部分の形状以外にも、継目を覆う部分は、曲線により構成されてもよい。直線で構成するとプロッターカットなどを用いて加工しやすいが、打抜きで加工する場合は曲線で構成される方が加工を容易に行うことができる。
【００５７】
上記した実施例１では、複数の発光ユニットに搭載されるＬＥＤ１７の配列間隔や配設個数を同じとしたが、ＬＥＤ１７の配列間隔や配設個数が互いに異なる構成も本発明に含まれる。このような構成も、反射カバー２０との組合せにおいて、輝度ムラや色ムラなどの表示性能を高める効果を奏する。
【００５８】
上記した実施例１では、複数の発光ユニットに搭載されるＬＥＤ１７の配列間隔や配設個数を同じとしたが、ＬＥＤ１７の配列間隔や配設個数が互いに異なる構成も本発明に含まれる。このような構成も、反射カバー２０との組合せにおいて、輝度ムラや色ムラなどの表示性能を高める効果を奏する。
【００５９】
また、上記したＬＥＤ１７の発光ピークが、互いに異なる発光ピークをもつ構成も本発明に含まれる。また、ＬＥＤ１７の構造や配光特性が、互いに異なる構成も本発明に含まれる。このような構成も、反射カバー２０との組合せにおいて、輝度ムラや色ムラなどの表示性能を高める効果を奏する。
【００６０】
また、ＬＥＤ１７は、青、緑、赤の各色の発光チップを組み合わせて白色発光としたものであり、黄色の領域に発光ピークを持つ蛍光体を青色発光チップに塗布して白色発光としたものや、緑色と赤色の領域に発光ピークを持つ蛍光体を青色発光チップに塗布して白色発光としたもの、さらに、緑色の領域に発光ピークを持つ蛍光体を青色発光チップに塗布し、これに赤色発光チップを組み合わせて白色発光としたもので構成されるものも本発明に含まれる。このような構成も、反射カバー２０との組合せにおいて、輝度ムラや色ムラなどの表示性能を高める効果を奏する。
【００６１】
また、ＬＥＤ１７は、紫外光チップに蛍光体を組み合わせたものであり、青色、緑色、及び赤色の領域に発光ピークを持つ蛍光体を紫外光チップに塗布して白色発光としたものも本発明に含まれる。このような構成も、反射カバー２０との組合せにおいて、輝度ムラや色ムラなどの表示性能を高める効果を奏する。
【００６２】
また、ＬＥＤ１７の構造は、蛍光体封止部がドーム構造やクレータ構造であるものも本発明に含まれる。このような構成も、反射カバー２０との組合せにおいて、輝度ムラや色ムラなどの表示性能を高める効果を奏する。
【００６３】
また、ＬＥＤ１７のチップ搭載方法は、フリップチップ構造やワイヤボンディング構造であるものも本発明に含まれる。
【符号の説明】
【００６４】
１０  液晶表示装置（表示装置）
１１  液晶パネル（表示パネル）
１２  バックライト装置（照明装置）
１４  シャーシ
１６  フレーム
１７  ＬＥＤ
１８  ＬＥＤ基板
１９  導光体
２０  反射シート
２０ｃ  反射カバー
２７  継目
１００  テレビ受信装置
【図１】
2013225373.tif 000003
【図２】
2013225373.tif 000004
【図３】
2013225373.tif 000005
【図４】
2013225373.tif 000006
【図５】
2013225373.tif 000007
【図６】
2013225373.tif 000008
【図７】
2013225373.tif 000009
【図８】
2013225373.tif 000010
【図９】
2013225373.tif 000011
【図１０】
2013225373.tif 000012
【図１１】
2013225373.tif 000013
【図１２】
2013225373.tif 000014